(57)【要約】【課題】光量のばらつきの発生を抑制して、略均一な明るさにて発光させることができる光源モジュール及び照明装置を提供する。【解決手段】複数のＬＥＤ２１，２１…と、複数のＬＥＤ２１，２１…が線状に配してある一面１ａを有し、複数のＬＥＤ２１，２１…を保持するＬＥＤ基板１と、複数のＬＥＤ２１，２１…に所定の電流を供給する定電流回路部３とを備えるＬＥＤモジュール１０であって、定電流回路部３は、複数のＬＥＤ２１，２１…が配設された方向の一面１ａの略中央に設けてある。定電流回路部３と各ＬＥＤ列までの配線長の差を小さくすることができるから、各ＬＥＤ列に供給される駆動電流のばらつきを小さくすることができる。また、複数のＬＥＤモジュール１０夫々に定電流回路部３を設けて熱源を各ＬＥＤモジュール１０に分散している。この結果、光量のばらつきを抑制することができ、略均一な明るさにて発光させることができる。【選択図】図３
2011044270.tif 000002
【特許請求の範囲】
【請求項１】
複数の光源と、該複数の光源が線状に配してある一面を有し、前記複数の光源を保持する保持体と、前記複数の光源に所定の電流を供給する定電流回路とを備える光源モジュールであって、
前記定電流回路は、前記複数の光源が配設された方向の前記一面の略中央に設けてあることを特徴とする光源モジュール。
【請求項２】
前記保持体の前記一面の縁部には電源供給用の回路パターンが形成してあり、該回路パターン上に電気良導体が設けてあることを特徴とする請求項１に記載の光源モジュール。
【請求項３】
前記光源はＬＥＤであることを特徴とする請求項１又は２に記載の光源モジュール。
【請求項４】
請求項１から３の何れか一つに記載の光源モジュールを備えることを特徴とする照明装置。
【請求項５】
前記光源モジュールを複数備えており、該複数の光源モジュールは、前記複数の光源の配設方向に連結してあることを特徴とする請求項４に記載の照明装置。
【発明の詳細な説明】
【技術分野】
【０００１】
本発明は、複数の光源と、該複数の光源に供給される電流を一定にする定電流回路とを備える光源モジュール及び照明装置に関する。
【背景技術】
【０００２】
スーパーマーケット、コンビニエンスストア等の店舗において、冷凍食品、冷蔵食品、生鮮食品等の商品の陳列販売用のショーケースとして、本体ケースの正面に片開き又は両開きの透明扉を備えたクローズドタイプのショーケースが広く用いられている。従来、このようなショーケース用の照明装置の光源として、蛍光灯が用いられてきた。近年、発光ダイオード（以下、ＬＥＤという）の高輝度化に伴い、小型、低消費電力、長寿命等の特性を有するＬＥＤを光源として備えるショーケース用の照明装置が種々提案されている（例えば、特許文献１参照）。
【０００３】
特許文献１に開示されたショーケースに用いられる照明装置は、細長い板状基板に該板状基板の長手方向に所定間隔で配列された複数のＬＥＤを備えている。そして、この照明装置は、該複数のＬＥＤが実装された板状基板を、透明な円筒体に収納し、該円筒体の両端を防水パッキンにて塞いでなり、ショーケース内の支柱にＬＥＤの光出射方向がショーケースの内部の適宜位置を向くように固定して取付けて用いられる。
【先行技術文献】
【特許文献】
【０００４】
【特許文献１】特開２００２−１４７９４５号公報
【発明の概要】
【発明が解決しようとする課題】
【０００５】
ところで、このようなショーケースに用いられる照明装置は、ショーケース内の支柱等の限られたスペースに設置され、この設置場所からショーケースの内部を均一に明るく照明可能なように構成されることが望ましい。
【０００６】
そして、ショーケースに用いられる照明装置のように、細長い灯部を有する照明装置においては、矩形状の基板に複数のＬＥＤを線状に配してなる光源モジュールを複数連結して灯部を構成することが多い。このような照明装置において、例えば、電源装置に近い１つの光源モジュールに定電流回路を設け、該定電流回路により一定電流を複数の光源モジュールに供給するように構成した場合、定電流回路の発熱が大きく、定電流回路を設けた光源モジュールに発熱が集中してしまう。この結果、定電流回路を設けた光源モジュールの温度が上昇して、該光源モジュールの発光効率が低下して光量が減少してしまい、複数の光源モジュール間に光量のばらつきが生じてしまうという問題があった。
【０００７】
また、ショーケースに用いられる照明装置においては特に、照明装置の設置スペースが限られており、基板の幅を十分に確保することが困難である。このため、基板に形成する電源供給用の回路パターンの幅、換言すると断面積を十分に確保することが困難であり、連結された複数の光源モジュールに供給される電力が電源供給用の回路パターンにおける抵抗により徐々に電圧降下してしまい、後段の光源モジュールにおいて光量不足が生じてしまうという虞があった。そして、定電流回路を設けた光源モジュールの内部においても、定電流回路と該定電流回路に接続された各光源との配線長の差が大きい場合、各光源に供給される電流にばらつきが生じてしまい、光源間に光量のばらつきが生じてしまうという虞があった。
【０００８】
特許文献１に係る照明装置においては、このような光量のばらつきの発生を抑制する方法については、特に記載されておらず、考慮されていないため、光源モジュール及び照明装置全体を均一な明るさにて発光させることができない虞があった。
【０００９】
本発明は斯かる事情に鑑みてなされたものであり、光量のばらつきの発生を抑制して、略均一な明るさにて発光させることができる光源モジュール及び照明装置を提供することを目的とする。
【課題を解決するための手段】
【００１０】
本発明に係る光源モジュールは、複数の光源と、該複数の光源が線状に配してある一面を有し、前記複数の光源を保持する保持体と、前記複数の光源に所定の電流を供給する定電流回路とを備える光源モジュールであって、前記定電流回路は、前記複数の光源が配設された方向の前記一面の略中央に設けてあることを特徴とする。
【００１１】
本発明にあっては、複数の光源が配設された方向の一面の略中央に定電流回路を設けている。定電流回路と複数の光源夫々との配線を適切に行うことにより、各光源までの配線長の差を小さくする、換言すると各光源までの配線長を平均化することができるから、各光源に供給される電流のばらつきを小さくして光量のばらつきを抑制することが可能となり、光源モジュール全体を略均一な明るさにて発光させることができる。
【００１２】
本発明に係る光源モジュールは、前記保持体の前記一面の縁部には電源供給用の回路パターンが形成してあり、該回路パターン上に電気良導体が設けてあることを特徴とする。
【００１３】
本発明にあっては、保持体の一面の縁部に電源供給用の回路パターンが形成してあり、該回路パターン上に電気良導体が設けてあるから、電気良導体の分だけ断面積が増加して電気抵抗を低減することができ、配線損失を低減することができる。この結果、複数の光源モジュールを一連になるように連結した場合に、電圧降下を抑制することができ、複数の光源モジュールの光量を略等しくすることができ、複数の光源モジュール全体を略均一な明るさにて発光させることが可能となる。
【００１４】
本発明に係る光源モジュールは、前記光源はＬＥＤであることを特徴とする。
【００１５】
本発明にあっては、光源としてＬＥＤを用いている。ＬＥＤは小型であるから、設置スペースが少なくてすむ。
【００１６】
本発明に係る照明装置は、前述の発明に記載の光源モジュールを備えることを特徴とする。
【００１７】
本発明にあっては、前記光源モジュールを用いて照明装置を構成してあるから、照明装置全体を略均一な明るさにて発光させることができる。
【００１８】
本発明に係る照明装置は、前記光源モジュールを複数備えており、該複数の光源モジュールは、前記複数の光源の配設方向に連結してあることを特徴とする。
【００１９】
本発明にあっては、複数の光源の配設方向に前記光源モジュールを複数連結して照明装置を構成してある。各光源モジュールに定電流回路を設けているから、各光源モジュールに熱源である定電流回路を分散することができ、複数の光源モジュール間の温度を略均一化することができる。この結果、光源モジュール間の光量のばらつきを抑制することができ、照明装置全体を略均一な明るさにて発光させることができる。また、電源供給用の回路パターン上に電気良導体を設けることにより、抵抗を低減することができ、後段の光源モジュールへの入力電圧を確保することができる。この結果、複数の光源モジュールの光量を略等しくすることができ、照明装置全体を略均一な明るさにて発光させることができる。
【発明の効果】
【００２０】
本発明によれば、光量のばらつきの発生を抑制して、光源モジュール及び照明装置全体を略均一な明るさにて発光させることができる。
【図面の簡単な説明】
【００２１】
【図１】本発明に係る照明装置の模式的分解斜視図である。
【図２】本発明に係る照明装置の模式的正面図である。
【図３】ＬＥＤ基板の回路パターンの模式図である。
【図４】図３の部分拡大図である。
【図５】照明装置の主要部の模式的断面図である。
【図６】照明装置の構成を模式的に示すブロック図である。
【図７】ＬＥＤモジュールの概略構成を示す回路図である。
【図８】各ＬＥＤ列に供給される駆動電流の計測結果を示す図である。
【図９】複数のＬＥＤモジュールを一連になるように４つ連結した場合における各ＬＥＤモジュールの入力電圧及びＬＥＤ駆動電流の計測結果を示す図である。
【図１０】本発明に係る照明装置のショーケースへの取付状態の説明図である。
【図１１】複数のＬＥＤモジュールを一連に連結する他の照明装置の模式的正面図である。
【図１２】図１１の部分拡大図である。
【図１３】図１１のXIII−XIII線による模式的断面図である。
【図１４】電源接続部の説明図である。
【発明を実施するための形態】
【００２２】
以下、本発明をその実施の形態を示す図面に基づいて、ショーケースに用いられる照明装置を例に詳述する。図１は、本発明に係る照明装置の模式的分解斜視図である。図２は、本発明に係る照明装置の模式的正面図である。
【００２３】
図において１は、矩形板状をなし、光源を保持する保持体としてのＬＥＤ基板であり、プリント配線基板である。ＬＥＤ基板１の一面には、ＬＥＤ２１，２１…がＬＥＤ基板１の長手方向に沿って複数配してあり、ＬＥＤ２１，２１…に電流を供給すべく、回路パターンが形成してある。図３は、ＬＥＤ基板１の回路パターンの模式図である。図４は、図３の部分拡大図である。
【００２４】
ＬＥＤ基板１の一面１ａには、図３に示すように、ＬＥＤ列Ａ２ａ、ＬＥＤ列Ｂ２ｂ、ＬＥＤ列Ｃ２ｃ及びＬＥＤ列Ｄ２ｄの４つのＬＥＤ列がＬＥＤ基板１の長手方向に沿って線状に配してある。各ＬＥＤ列は、６つのＬＥＤ２１，２１…及び該ＬＥＤ２１，２１…に一定の電流を流すための制限抵抗２２を直列に接続してなる。なお、ＬＥＤ２１は、ＬＥＤ素子と、該ＬＥＤ素子を封止し、蛍光体が分散された封止樹脂と、入力端子及び出力端子とを備えてなる表面実装型ＬＥＤである。
【００２５】
このように４つのＬＥＤ列が線状に配してあるＬＥＤ基板１の一面１ａのＬＥＤ基板１の長手方向（複数のＬＥＤ２１，２１…の配設方向）の略中央には、ＬＥＤ２１に供給される電流を一定にする定電流回路部３が設けてある。定電流回路部３は、レギュレータＩＣ３１と、抵抗３２とを備えてなる。
【００２６】
また、ＬＥＤ基板１の一面１ａの長辺側の縁部には、後述するように、連結される他のＬＥＤ基板に電源を供給すべく設けられた電源供給用の回路パターン１１，１２がＬＥＤ基板１の略全長に亘って形成してある。電源供給用の回路パターン１１，１２の両端には、第１の接続部４１，４１及び第２の接続部４２，４２が夫々設けてある。なお、複数のＬＥＤ基板１間の接続は、これら第１の接続部４１，４１同士、及び第２の接続部４２，４２同士をジャンパ線により接続することにより行う。
【００２７】
電源供給用の回路パターン１１には、定電流回路部３の入力端が接続してあり、定電流回路部３の出力端には、ＬＥＤ列Ａ２ａ、ＬＥＤ列Ｂ２ｂ、ＬＥＤ列Ｃ２ｃ及びＬＥＤ列Ｄ２ｄの入力端が夫々接続してある。なお、この定電流回路部３の出力端は、ＬＥＤ基板１の中央に位置するようにしてある（図３中に２点鎖線の円にて囲繞された部分を参照）。これにより、定電流回路部３の出力端からＬＥＤ列Ａ２ａ、ＬＥＤ列Ｂ２ｂ、ＬＥＤ列Ｃ２ｃ及びＬＥＤ列Ｄ２ｄ夫々までの配線長の差を小さくする、換言するとＬＥＤ列Ａ２ａ、ＬＥＤ列Ｂ２ｂ、ＬＥＤ列Ｃ２ｃ及びＬＥＤ列Ｄ２ｄ夫々までの配線長を平均化することができる。ＬＥＤ列Ａ２ａ、ＬＥＤ列Ｂ２ｂ、ＬＥＤ列Ｃ２ｃ及びＬＥＤ列Ｄ２ｄの出力端は、電源供給用の回路パターン１２に接続してある。
【００２８】
電源供給用の回路パターン１１，１２上には、電気良導体１３が略全長に亘って断続的に設けてある。電気良導体１３は、図４に示すように、電源供給用の回路パターン１１，１２の長手方向に対して傾斜する平行な２辺を有する平行四辺形状に形成してある。本実施の形態において、電気良導体１３は半田であり、回路パターン１１，１２上に接合させてある。本実施の形態において、電気良導体１３を平行四辺形状に形成してあるのは、回路パターン１１，１２の長手方向に沿った抵抗の増減幅が大きくならないようにするためである。
【００２９】
以上のように、ＬＥＤ２１，２１…と、定電流回路部３と、これらＬＥＤ２１，２１…及び定電流回路部３が実装されたＬＥＤ基板１とを備えてなるＬＥＤモジュール（光源モジュール）１０は、支持部材２０に設けてある。図５は、照明装置の主要部（灯部）の模式的断面図である。支持部材２０は、図５に示すように、複数のＬＥＤモジュール１０，１０…を支持する支持部２０ａと、複数のＬＥＤモジュール１０，１０…からの光を所定方向に反射する反射部２０ｂとを備えている。支持部２０ａは、ＬＥＤモジュール１０が取付けられる矩形板部と、該矩形板部の長辺側の端部に立設された２側壁とを有してなる。なお、支持部材２０は、アルミニウム等の金属製である。
【００３０】
この支持部材２０の支持部２０ａの矩形板部には、複数のＬＥＤモジュール１０，１０…が、支持部２０ａの長手方向に沿って、図５に示すように、支持部２０ａの側壁とギャップＧ１を有して取付けてある。そして、複数のＬＥＤモジュール１０，１０…間は、第１の接続部４１，４１及び第２の接続部４２，４２をジャンパ線によって接続することにより接続してある。このように、複数のＬＥＤモジュール１０，１０…は、複数のＬＥＤ２１，２１…の配設方向に連結してある。
【００３１】
このように支持部２０ａの矩形板部及び側壁からなる凹部にＬＥＤモジュール１０，１０…を設けているから、ＬＥＤモジュール１０，１０…を支持部材２０に取付けるときの位置決めを容易にすることができる。本実施の形態においては、複数のＬＥＤモジュール１０，１０…間の接続は、第１の接続部４１，４１及び第２の接続部４２，４２をジャンパ線により接続することにより行うようにしてあるが、例えば、オスコネクタとメスコネクタの一対のコネクタ（基板対基板コネクタ）によりＬＥＤモジュール１０，１０…間を接続するように構成した場合において、取付作業時にコネクタに大きな力が作用しないようにすることができる。基板対基板コネクタを用いる場合、先にオスコネクタとメスコネクタを嵌合させ、その後にＬＥＤモジュール１０，１０…をネジ等により支持部材２０に固定するが、この固定作業時に、ＬＥＤモジュール１０に回転方向に力が加わりＬＥＤモジュール１０が回転するとコネクタに応力がかかり破損してしまう虞があった。しかしながら、本実施の形態の如く、ＬＥＤモジュール１０を凹部に取付けるように構成することにより、ＬＥＤモジュール１０に回転方向に力が加わった場合においても、ＬＥＤモジュール１０は支持部２０ａの側壁とのギャップＧ１に応じた範囲でしか動かないから、コネクタに大きな応力が加わることを防止することができる。
【００３２】
以上のように取付けられたＬＥＤ２１，２１…は、光出射方向が略同一になるように支持部２０ａの長手方向に沿って配されることになる。なお、支持部材２０に固定されたＬＥＤ２１，２１…及びＬＥＤ基板１の表面は、防水性を維持するために樹脂（図示せず）により被覆してある。樹脂は、防水性の樹脂であり、例えば、シリコーン系樹脂である。
【００３３】
反射部２０ｂは、支持部２０ａの長手方向に沿って、支持部２０ａから複数のＬＥＤ２１，２１…の光出射方向に向けて広がるように形成してある。この反射部２０ｂと複数のＬＥＤ２１，２１…の光軸（光出射方向）とがなす角度θ１は、照明装置を設置する場所の形状、照明装置の配置に応じて適切に設定してある。本実施の形態においては、θ１＝１５°に設定してある。
【００３４】
支持部材２０の反射部２０ｂの内面には、例えば、ＰＥＴ（ポリエチレンテレフタレート）を基材として用いた反射シート（図示せず）が貼り付けてある。なお、支持部材２０の反射部２０ｂの構成はこれに限定されず、ＬＥＤ２１からの光を高反射率にて反射可能なように構成してあればよい。例えば、ステンレス等の金属、反射率の高い塗料が塗布された金属、又は光散乱性の金属酸化物（例えば二酸化チタン）等の材料を充填した樹脂材料（例えばポリカーボネート）により形成してもよい。支持部材２０の反射部２０ｂをこのように構成することにより、反射部２０ｂの内面、又は該内面に沿って設けられた反射シートにより、複数のＬＥＤ２１，２１…の光出射方向に向けて広がる反射面が形成されることになる。
【００３５】
また、支持部材２０の反射部２０ｂの端部には、支持部２０ａのＬＥＤモジュール１０の取付面に平行な２つの矩形板からなる係合部２０ｃが夫々設けてある。この係合部２０ｃには、図中にて二点鎖線にて示す矩形平板状の透光板３０が介装してある。透光板３０は、例えば、拡散剤が適量添加された半透明なポリカーボネート樹脂製である。透光板３０は、支持部材２０の係合部２ｃに支持部２０ａの取付面に平行な方向から挿入して係合させることにより、支持部材２０に取付けてある。
【００３６】
この支持部材２０の長手方向の両端には、サイドカバー４０，４０が夫々嵌入される。サイドカバー４０は、支持部材２０の横断面形状と略同一形状を有する板状である。サイドカバー４０の一面には、該一面に平行な雌ネジが形成されたボス部が設けてあり、他面には、該他面に直交する雌ネジが設けてある。サイドカバー４０の一面の側には、該一面に直交する矩形板状の被覆部４０ａ及び突設部４０ｂが設けてある（図２及び図５参照）。サイドカバー４０は、一面の側を内側にして、支持部材２０に嵌入され、ネジを支持部材２０の支持部２０ａに設けられた貫通穴に挿通し、サイドカバー４０のボス部に形成された雌ネジに螺合することにより支持部２０ａに固定してある。このように固定されることにより、サイドカバー４０の被覆部４０ａと突設部４０ｂとの間に透光板３０の長手方向の両端部が保持されることになる。このように一体化されたＬＥＤモジュール１０，１０…、支持部材２０、透光板３０及びサイドカバー４０，４０により灯部１００が構成される。
【００３７】
なお、被覆部４０ａの透光板３０と平行な方向への突設長は、樹脂製の透光板３０と金属製の支持部材２０との線膨張率の差に応じて適切に設定してある。これにより、透光板３０と支持部材２０の温度上昇に伴う伸びの差を被覆部４０ａにて吸収することができる。これにより、ＬＥＤモジュール１０，１０…は、支持部材２０、透光板３０及びサイドカバー４０により常に覆われることになり、美観に資すると共に、水滴、異物等が灯部１００の内部に入り込むことを防止することができる。
【００３８】
以上のように組み込まれた２つの灯部１００は、固定アングル５０，５０により一体化される。固定アングル５０は、矩形平板部５１と、該矩形平板部５１の一辺に立設され、２つの灯部１００，１００を固定する固定板部５２と、矩形平板部５１の固定板部５２を挟む両側に立設され、取付アングル６０，６０が取付けられる取付板部５３，５３とを備えている。支持部材２０，２０を支持部２０ａ，２０ａの側が対向し、光出射方向が固定アングル５０，５０に対して所定の角度を有するように位置決めして、ネジ７１，７１を、固定アングル５０，５０の固定板部５２，５２に設けられた貫通穴に挿通させ、サイドカバー４０，４０に設けられたネジ穴に螺合させることにより、２つの灯部１００，１００が一体化される。そして、このネジ７１，７１を緩めることにより、支持部材２０，２０夫々をネジ７１，７１を中心として、支持部２０ａ，２０ａの長手方向に沿う軸周りに、複数のＬＥＤ２１，２１…と一体的に回動することが可能となる。
【００３９】
固定アングル５０には、照明装置をショーケースの支柱等の被取付部材に取付ける矩形状の取付板部６１を備える取付アングル６０が取付けてある。取付アングル６０は、取付板部６１の平行な２辺に立設された固定板部と固定アングル５０の取付板部５３，５３とをネジ７２，７２により固定することにより、固定アングル５０に一体化してある。以上のように一体化されてなる照明装置は、取付アングル６０の取付板部６１の側にてショーケースの支柱等の被取付部材に取付けられる。
【００４０】
図６は、照明装置の構成を模式的に示すブロック図である。照明装置の２つの灯部１００，１００の一端側のＬＥＤモジュール１０の電源接続部４ａには、直流電源装置１１０から電源が供給される。該ＬＥＤモジュール１０の電源接続部４ａには、前述した定電流回路部３の入力端が接続してあり、定電流回路部３の出力端には前述した４つのＬＥＤ列２ａ，２ｂ，２ｃ，２ｄからなる光源部２の入力端が接続してある。該光源部２の出力端には、前述した第１の接続部４１及び第２の接続部４２を有する基板間接続部４が接続してある。この一端側のＬＥＤモジュール１０に連結されるＬＥＤモジュール１０及び後続のＬＥＤモジュール１０，１０…は、電源接続部４ａに代えて基板間接続部４を備えている。
【００４１】
図７は、ＬＥＤモジュールの概略構成を示す回路図である。基板間接続部４の第１の接続部４１には、直流電源装置１１０にて外部電源から供給された交流電流を直流電流に整流したのちの２４Ｖの電源電圧が供給される。２つの第１の接続部４１，４１間には連結される他のＬＥＤモジュールに電源を供給すべく設けられた電源供給用の回路パターン１１が設けてある。この回路パターン１１には、定電流回路部３の入力端が接続してある。定電流回路部３は、レギュレータＩＣ３１と、抵抗３２とを備え、レギュレータＩＣ３１の出力端子及び調整端子間の電圧を一定に保つように制御することにより、抵抗３２の抵抗値に応じた一定の電流値になるように出力電流を調整するように構成してある。
【００４２】
定電流回路部３の出力端には、ＬＥＤ列Ａ２ａ、ＬＥＤ列Ｂ２ｂ、ＬＥＤ列Ｃ２ｃ及びＬＥＤ列Ｄ２ｄの入力端が夫々接続してある。前述したように、ＬＥＤ列Ａ２ａ、ＬＥＤ列Ｂ２ｂ、ＬＥＤ列Ｃ２ｃ及びＬＥＤ列Ｄ２ｄ夫々は、６つのＬＥＤ２１，２１…及び該ＬＥＤ２１，２１…に一定の電流を流すための制限抵抗２２を直列に接続してなる。ＬＥＤ列Ａ２ａ、ＬＥＤ列Ｂ２ｂ、ＬＥＤ列Ｃ２ｃ及びＬＥＤ列Ｄ２ｄの出力端は、電源供給用の回路パターン１２に接続してある。回路パターン１２の両端には、基板間接続部４の第２の接続部４２，４２が設けてあり、第２の接続部４２，４２は接地用の電線に接続される。
【００４３】
以上のように構成された照明装置において、電源の投入に伴い、直流電源装置１１０から整流された直流電流が供給されたとき、供給された電流は定電流回路部３にて一定の電流値になるように調整されたのち、ＬＥＤ列Ａ２ａ、ＬＥＤ列Ｂ２ｂ、ＬＥＤ列Ｃ２ｃ及びＬＥＤ列Ｄ２ｄ夫々に供給される。
【００４４】
図８は、各ＬＥＤ列に供給される駆動電流の計測結果を示す図である。図８において、各ＬＥＤ列Ａ、ＬＥＤ列Ｂ、ＬＥＤ列Ｃ及びＬＥＤ列Ｄに定電流回路部３により２０ｍＡの駆動電流を供給するように設定した場合に、定電流回路部３をＬＥＤ列Ａ２ａとＬＥＤ列Ｂ２ｂとの間に配置した場合（従来）と、定電流回路部３をＬＥＤ列Ｂ２ｂとＬＥＤ列Ｃ２ｃとの間に配した場合、換言すると複数のＬＥＤ２１，２１…が配設された方向のＬＥＤ基板１の中央に配した場合（本発明）とで各ＬＥＤ列に実際に供給される駆動電流値を比較している。図からわかるように、従来の配置においては、ＬＥＤ列Ｄにおいて、駆動電流値は１９．５ｍＡとなっており、設定値である２０ｍＡよりも２．５％減少している。一方、本発明の中央配置においては、ＬＥＤ列Ｄにおいて、駆動電流値は１９．８ｍＡとなっており、設定値である２０ｍＡからの減少分は１％であり、従来の配置と比較して改善していることがわかる。
【００４５】
以上のように、定電流回路部３をＬＥＤ基板１の長手方向の中央に配置することにより、各ＬＥＤ列までの配線長の差を小さくする、換言すると各ＬＥＤ列までの配線長を平均化することができるから、各ＬＥＤ列に供給される駆動電流のばらつきを小さくすることができる。この結果、光量のばらつきを抑制することができ、ＬＥＤ列Ａ２ａ、ＬＥＤ列Ｂ２ｂ、ＬＥＤ列Ｃ２ｃ及びＬＥＤ列Ｄ２ｄが略同一の明るさにて安定して点灯することになり、ＬＥＤモジュール１０全体を略均一な明るさにて発光させて、照明装置全体を略均一な明るさにて発光させることができる。
【００４６】
なお、定電流回路３が配置される略中央とは、ＬＥＤ基板１の端部からの距離が等しい略中央に限定されず、ＬＥＤ基板１において少なくとも複数のＬＥＤ２１が配置された領域の略中央であってもよい。その場合でも、定電流回路３を各ＬＥＤ列までの配線長の差を小さくすることができるので、ＬＥＤモジュール１０全体を略均一な明るさにて発光させることができる。
【００４７】
図９は、複数のＬＥＤモジュールを一連になるように４つ連結した場合における各ＬＥＤモジュール１０，１０…の入力電圧及びＬＥＤ駆動電流の計測結果を示す図である。電源供給用の回路パターン１１，１２に電気良導体１３である半田を設けていない場合（従来）と、各ＬＥＤモジュール１０，１０…のＬＥＤ基板１に形成された電源供給用の回路パターン１１，１２に電気良導体１３である半田を図４に示すように設けた場合（本発明）とで各ＬＥＤモジュール１０，１０…のＬＥＤ基板１への実際の入力電圧及びＬＥＤ駆動電流を比較している。なお、複数のＬＥＤモジュールは、直流電源装置に近い方からＬＥＤモジュールＡ、ＬＥＤモジュールＢ、ＬＥＤモジュールＣ及びＬＥＤモジュールＤの順に一連になるように連結してある。
【００４８】
図からわかるように、従来の半田なしの場合、ＬＥＤモジュールＤのＬＥＤ基板への入力電圧はＬＥＤモジュールＡと比較して、−０．４８Ｖとなっており、この電圧低下に伴い、ＬＥＤモジュールＤのＬＥＤ駆動電流はＬＥＤモジュールＡと比較して１４％減少している。一方、本発明の半田ありの場合、ＬＥＤモジュールＤのＬＥＤ基板への入力電圧はＬＥＤモジュールＡと比較して、−０．１３Ｖとなっており、ＬＥＤモジュールＤのＬＥＤ駆動電流はＬＥＤモジュールＡと比較して２％の減少にとどまっている。
【００４９】
なお、本比較においては、定電流回路部が直流電源装置にある場合のデータであり、前述した構成の照明装置においての計測結果とは異なるが、本発明に係る照明装置においても、ＬＥＤ駆動電流の減少を抑制する効果が得られる。因みに、前述した構成の照明装置のように、定電流回路部を各ＬＥＤモジュールに設ける場合、従来のＬＥＤ駆動電流は、図９に示したように徐々に低下せず、例えば、ＬＥＤモジュールＣまでは設定電流値にほぼ近い値となり、ＬＥＤモジュールＤにおいて急激に低下することになる。これは、ＬＥＤ基板入力電圧とＬＥＤの順方向電圧との差が小さくとなると、定電流回路が動作する電圧範囲が狭くなるため定電流回路に必要な電圧を確保することができなくなるからである。
【００５０】
以上のように、電気良導体１３として半田を電源供給用の回路パターン１１，１２に接合させることにより、ＬＥＤ基板１の幅を十分に確保することが困難な場合においても、電気良導体１３の分だけ断面積を増加させて電気抵抗を低減することができ、配線損失を低減することができる。この結果、複数のＬＥＤモジュール１０，１０…を一連になるように連結した場合に、電圧降下を抑制することができる。よって、複数のＬＥＤモジュール間のばらつきを抑制して光量を略等しくすることができ、複数のＬＥＤモジュール全体を略均一な明るさにて発光させることが可能となり、照明装置全体を略均一な明るさにて発光させることができる。
【００５１】
以上のように構成された照明装置は、２つの灯部１００，１００を有しているが、１つの灯部１００を有する照明装置についても同様に構成される。図１０は、本発明に係る照明装置のショーケースへの取付状態の説明図であり、ショーケースの一部を示している。図１０に示すショーケース１２０は、筐体状のケース本体の正面に透明扉１２１を複数備えたクローズタイプのショーケースであり、冷凍食品、冷蔵食品、生鮮食品等の商品の陳列販売用のショーケースである。透明扉１２１の両側には、支柱１３０，１３１が設けてあり、ショーケース１２０の隅部の支柱１３０には、１つの灯部１００を有する照明装置が、ショーケース１２０の透明扉１２１間にある支柱１３１には、２つの灯部１００，１００を有する照明装置が夫々設けてある。これら照明装置は、支柱１３１，１３０に、照明装置の長手方向が上下方向（垂直方向）になるように、照明装置から出射される光とショーケース１２０の前面とが所定角度θ２をなすように、取付アングルを介して取付けてある。なお、本実施の形態においては、θ２＝１０°になるように照明装置が取付けてある。
【００５２】
これら照明装置の灯部１００，１００からの光は、ショーケース１２０の内部に向けて出射される。そして、本発明に係るＬＥＤモジュールは、前述したように定電流回路部３を配置しているから、ＬＥＤモジュール１０の各ＬＥＤ列間の光量のばらつきを抑制することができる。また、本発明に係る照明装置においては、灯部１００の複数のＬＥＤモジュール１０，１０…夫々に定電流回路部３を設けて、熱源である定電流回路３を各ＬＥＤモジュール１０，１０…に分散しているから、複数のＬＥＤモジュール１０，１０…間の温度を略均一化することができる。この結果、ＬＥＤモジュール１０，１０…間の光量のばらつきを抑制することができる。また、電源供給用の回路パターン１１，１２上に電気良導体１３を設けているから、抵抗を低減することができ、ＬＥＤ基板１の幅を十分に確保することが困難な場合においても、後段のＬＥＤモジュール１０への入力電圧を確保することができる。この結果、複数のＬＥＤモジュール１０，１０…の光量を略等しくすることができ、照明装置全体を略均一な明るさにて発光させることができる。
【００５３】
そして、ＬＥＤの順方向電圧は温度の低／高に応じて高／低となるから、冷凍食品、冷蔵食品等の商品の陳列販売用のショーケースのように内部が低温となる場所に照明装置が設置される場合には特に、ＬＥＤモジュールを所定光量にて点灯させるために必要となるＬＥＤの順方向電圧に応じて定まる必要電圧が高くなり、該必要電圧とＬＥＤ基板１への入力電圧との差が小さくなる。この場合においてＬＥＤ基板１への入力電圧が低下すると、連結したＬＥＤモジュールの後段のＬＥＤモジュールの光量が急激に低下して問題となるところ、前述したように、電源供給用の回路パターン１１，１２上に電気良導体１３を設けているから、後段のＬＥＤモジュール１０への入力電圧を確保することができる。
【００５４】
また、光源としてＬＥＤを用いている。ＬＥＤは小型であるから、設置スペースが少なくてすむ。
【００５５】
なお、以上の実施の形態においては、複数のＬＥＤ（複数のＬＥＤ列）がＬＥＤ基板の長手方向に沿って線状に配してあるとして、複数のＬＥＤ２１，２１…（複数のＬＥＤ列２ａ，２ｂ，２ｃ，２ｄ）がＬＥＤ基板の長手方向に沿って一列に配してある場合を例に説明したが、これに限定されず、複数列配してある場合でもよい。即ち、複数の光源が線状に配してあるには、複数のＬＥＤ（複数のＬＥＤ列）がＬＥＤ基板の長手方向に沿って複数列配してある場合も含む。
【００５６】
以上の実施の形態においては、一のＬＥＤモジュールから他のＬＥＤモジュールへ電源を供給する電源供給用の回路パターン１１，１２上に電気良導体１３を設けて配線損失を低減するように構成されたＬＥＤモジュール１０として、ＬＥＤ２１，２１…が細長いＬＥＤ基板１に該ＬＥＤ基板１の長手方向に沿って一列に配したＬＥＤモジュール１０を例に説明したが、これに限定されず、以下に述べるように、矩形状のＬＥＤ基板に該ＬＥＤ基板の長手方向に沿って複数列配したＬＥＤモジュールについても同様に構成することができる。
【００５７】
図１１は、複数のＬＥＤモジュールを一連に連結する他の照明装置の模式的正面図である。図１２は、図１１の部分拡大図である。図１３は、図１１のXIII−XIII線による模式的断面図である。本実施の形態に係る照明装置として、天井に設置して用いられる所謂シーリングライトを例に以下説明する。
【００５８】
図において２０１は、矩形板状をなし、光源を保持する保持体としてのＬＥＤ基板であり、プリント配線基板である。ＬＥＤ基板２０１の一面２０１ａには、ＬＥＤ２２１，２２１…がＬＥＤ基板２０１の長手方向に沿って線状に複数列配してある。ＬＥＤ基板２０１の一面２０１ａの縁部には、連結される他のＬＥＤ基板２０１に電源を供給すべく設けられた電源供給用の回路パターン２１１，２１２がＬＥＤ基板２０１の略全長に亘って形成してある。なお、電源供給用の回路パターン２１１，２１２以外の回路パターンの図示は省略している。
【００５９】
電源供給用の回路パターン２１１，２１２上には、電気良導体２１３が略全長に亘って断続的に設けてある。電気良導体２１３は、図１２に示すように、電源供給用の回路パターン２１１，２１２の長手方向に対して傾斜する平行な２辺を有する平行四辺形状に形成してある。本実施の形態において、電気良導体２１３は半田であり、回路パターン２１１，２１２に接合させてある。
【００６０】
ＬＥＤ基板２０１には、ＬＥＤ２２１，２２１…に一定の電流を流すための制限抵抗（図示せず）、電源供給用の回路パターン２１１，２１２の両端に設けられた第１のコネクタ２０４ａ及び第２のコネクタ２０４ｂが夫々設けてある。これら第１のコネクタ２０４ａ及び第２のコネクタ２０４ｂは、オスコネクタとメスコネクタの一対のコネクタ（基板対基板コネクタ）であり、ＬＥＤ基板２０１及び複数のＬＥＤ２２１，２２１…を備えてなるＬＥＤモジュール２１０，２１０…間を接続するように構成してある。このように、基板対基板コネクタを用いることにより、ＬＥＤ基板夫々にコネクタを設け、コネクタ間を電線等により接続する場合と比較して、コネクタの接触抵抗による電圧降下を低減することができる。
【００６１】
照明装置の長手方向の一端側のＬＥＤモジュール２１０には、電源回路部にその一端が接続される電線の他端が接続される電源接続部が設けてある。図１４は、電源接続部の説明図である。図１４（ａ）は模式的部分拡大図を、図１４（ｂ）は図１４（ａ）の XIV−XIV 線による模式的断面図を夫々示している。電源接続部は、図に示すように、ＬＥＤ基板２０１に設けた穴にＬＥＤ基板２０１の他面２０１ｂの側から電線の先端２０４ｃを挿入して、ＬＥＤ基板２０１の一面２０１ａの側にて半田２０４ｂにより接合して電線の先端２０４ｃを固定することにより、電線とＬＥＤ基板２０１の一面２０１ａに形成された回路パターンとを接続するように構成してある。このように最も流れる電流が大きい電源接続部は半田を用いて接続して、接触不良による発熱等の異常の発生を抑制している。
【００６２】
これらＬＥＤモジュール２１０，２１０…は支持部材２２０に設けてある。支持部材２２０は、軽量かつ放熱性が良い金属製であり、例えばアルミニウム製である。支持部材２２０は、複数のＬＥＤモジュール２１０，２１０…を一面にて支持する支持板部２２０ａと、該支持板部２２０ａの他面の長辺側の縁部に立設された互いに対向する２つの傾斜板部２２０ｂ，２２０ｂとを備えている。
【００６３】
この支持部材２２０の支持板部２２０ａには、複数のＬＥＤモジュール２１０，２１０…が、ＬＥＤ基板２０１の他面２０１ｂの側が支持板部２２０ａの側になるように支持板部２２０ａの長手方向に沿って、図１３に示すように、傾斜板部２２０ｂとギャップＧ２を有してネジ２２５により固定して取付けてある。そして、複数のＬＥＤモジュール２１０，２１０…間は、第１のコネクタ２０４ａ及び第２のコネクタ２０４ｂを嵌合することにより接続してある。このように、複数のＬＥＤモジュール２１０，２１０…は、ＬＥＤ基板２０１の長手方向（複数のＬＥＤ２１，２１…の配設方向）に連結してある。
【００６４】
このように支持板部２２０ａ及び傾斜板部２２０ｂ，２２０ｂからなる凹部にＬＥＤモジュール２１０，２１０…を設けているから、ＬＥＤモジュール２１０，２１０…を支持部材１２０に取付けるときの位置決めを容易にすることができる。そして、本実施の形態の如く、オスコネクタとメスコネクタの一対のコネクタ（基板対基板コネクタ）である第１のコネクタ２０４ａ及び第２のコネクタ２０４ｂによりＬＥＤモジュール２１０，２１０…間を接続するように構成した場合において、取付作業時にコネクタ２０４ａ，２０４ｂに大きな力が作用しないようにすることができる。基板対基板コネクタを用いる場合、先にオスコネクタとメスコネクタである第１のコネクタ２０４ａ及び第２のコネクタ２０４ｂを嵌合させ、その後にＬＥＤモジュール２１０，２１０…をネジ等により支持部材２２０に固定するが、この固定作業時に、ＬＥＤモジュール２１０に回転方向に力が加わりＬＥＤモジュール２１０が回転するとコネクタ２０４ａ，２０４ｂに応力がかかり破損してしまう虞があった。しかしながら、本実施の形態の如く、ＬＥＤモジュール２１０を凹部に取付けるように構成することにより、ＬＥＤモジュール２１０に回転方向に力が加わった場合においても、ＬＥＤモジュール２１０は傾斜板部２２０ｂとのギャップＧ２に応じた範囲でしか動かないから、コネクタ２０４ａ，２０４ｂに大きな応力が加わることを防止することができる。
【００６５】
支持部材２２０には、ＬＥＤ２２１，２２１…からの光を透過する透光性カバー２３０が係合させてある。以上のように一体化されてなる灯部は、プレート２５０に取付けられる。
【００６６】
以上のように構成された照明装置は、取付対象である天井（又は天井に設けられた金属製のチャンネル）に、プレート２５０をボルト等で固定することにより取付けられる。この照明装置において、外部電源による電力の供給に伴い、電源回路部により直流電圧に変換及び整流され、調光回路部により所定の電流及び／電圧の電力が光源モジュール２１０に供給され、ＬＥＤ２２１，２２１…が所定の調光率にて点灯する。
【００６７】
以上のように構成された本実施の形態に係る照明装置においても、電源供給用の回路パターン２１１，２１２上に電気良導体２１３を設けているから、抵抗を低減することができ、ＬＥＤ基板２０１の幅を十分に確保することが困難な場合においても、後段のＬＥＤモジュール２１０への入力電圧を確保することができる。この結果、複数のＬＥＤモジュール２１０，２１０…の光量を略等しくすることができ、照明装置全体を略均一な明るさにて発光させることができる。
【００６８】
なお、以上の実施の形態において、電気良導体は、図４及び図１２に示すように、電源供給用の回路パターンの長手方向に対して傾斜する平行な２辺を有する平行四辺形状に形成してあるが、形状はこれに限定されず、矩形状でもよいし、電源供給用の回路パターンの全部を覆うように設けてもよい。
【００６９】
また、以上の実施の形態においては、電気良導体として半田を用いているが、これに限定されず、電気良導体は電気抵抗の小さい材料製であればよい。例えば、銅箔等を用いてもよい。
【００７０】
また、以上の実施の形態においては、複数のＬＥＤモジュールを一連に連結する照明装置として、ショーケースに用いられる照明装置、天井に設置される所謂シーリングライトを例に説明したが、本発明に係るＬＥＤモジュールを適用可能な照明装置はこれに限定されない。例えば、看板用の照明装置、部屋の壁に取付け、天井等を照らす間接照明用の照明装置にも適用可能である。
【００７１】
また、以上の実施の形態においては、光源本体として表面実装型ＬＥＤを用いているが、これに限定されず、他のタイプのＬＥＤ、ＥＬ（Ｅｌｅｃｔｒｏ  Ｌｕｍｉｎｅｓｃｅｎｃｅ）等を用いてもよい。
【００７２】
更に、本発明は、その他、特許請求の範囲に記載した事項の範囲内において種々変更した形態にて実施することが可能であることは言うまでもない。
【符号の説明】
【００７３】
２１，２２１  ＬＥＤ（光源）
１，２０１  ＬＥＤ基板（保持体）
１ａ，２０１ａ  一面
３  定電流回路部（定電流回路）
１０，２１０  ＬＥＤモジュール（発光モジュール）
１１，１２，２１１，２１２  電源供給用の回路パターン
１３，２１３  電気良導体
【図１】
2011044270.tif 000003
【図２】
2011044270.tif 000004
【図３】
2011044270.tif 000005
【図４】
2011044270.tif 000006
【図５】
2011044270.tif 000007
【図６】
2011044270.tif 000008
【図７】
2011044270.tif 000009
【図８】
2011044270.tif 000010
【図９】
2011044270.tif 000011
【図１０】
2011044270.tif 000012
【図１１】
2011044270.tif 000013
【図１２】
2011044270.tif 000014
【図１３】
2011044270.tif 000015
【図１４】
2011044270.tif 000016